(57)【要約】【課題】低コストで、ユーザーに視覚効果を楽しませること。【解決手段】スピーカー装置１は、スピーカー６と、ＬＥＤ８と、ＳｏＣ２と、を備える。ＳｏＣ２は、楽曲ファイルに含まれている情報に基づいて、ＬＥＤ８の点灯を制御する。楽曲ファイルに含まれている情報は、楽曲のテンポ情報を含む。ＳｏＣ２は、楽曲のテンポ情報に従って、ＬＥＤ８を発光させる。例えば、楽曲に含まれている情報は、楽曲ファイルのタグに含まれている。また、例えば、楽曲に含まれている情報は、楽曲ファイルのファイル名に含まれている。【選択図】図１
2020101646.tif 000002
【特許請求の範囲】
【請求項１】
スピーカーと、
発光素子と、
制御部と、を備え、
前記制御部は、楽曲ファイルに含まれている情報に基づいて、前記発光素子の点灯を制御することを特徴とするスピーカー装置。
【請求項２】
前記情報は、楽曲のテンポ情報を含み、
前記制御部は、前記楽曲のテンポ情報に従って、前記発光素子を発光させることを特徴とする請求項１に記載のスピーカー装置。
【請求項３】
前記情報は、色の情報を含み、
前記制御部は、前記色の情報に従って、前記発光素子を発光させることを特徴とする請求項１又は２に記載のスピーカー装置。
【請求項４】
前記情報は、前記楽曲ファイルのタグに含まれていることを特徴とする請求項１〜３のいずれか１項に記載のスピーカー装置。
【請求項５】
前記情報は、前記楽曲ファイルのファイル名に含まれていることを特徴とする請求項１〜３のいずれか１項に記載のスピーカー装置。
【発明の詳細な説明】
【技術分野】
【０００１】
本発明は、発光素子を備えるスピーカー装置に関する。
【背景技術】
【０００２】
特許文献１には、音楽にあわせて、発光素子が、点灯、消灯、点滅する装置が開示されている。この装置によれば、ユーザーは、音楽と視覚効果とを楽しむことができる。また、このような装置において、再生中の音楽に適した視覚効果を得るため、楽曲解析を行い、テンポや低域のレベルにあわせた光り方ができるように、設計されている場合がある。
【先行技術文献】
【特許文献】
【０００３】
【特許文献１】特開２００７−０２５６１８号公報
【発明の概要】
【発明が解決しようとする課題】
【０００４】
しかしながら、楽曲解析をするためには、専用のＤＳＰ（Digital Signal Processor）や回路が必要となり、コストがかかる。
【０００５】
本発明の目的は、低コストで、ユーザーに視覚効果を楽しませることである。
【課題を解決するための手段】
【０００６】
第１の発明のスピーカー装置は、スピーカーと、発光素子と、制御部と、を備え、前記制御部は、楽曲ファイルに含まれている情報に基づいて、前記発光素子の点灯を制御することを特徴とする。
【０００７】
本発明では、制御部は、楽曲ファイルに含まれている情報に基づいて、発光素子の点灯を制御する。これにより、楽曲解析のための回路等が不要であるため、低コストで、ユーザーに視覚効果を楽しませることができる。
【０００８】
第２の発明のスピーカー装置は、第１の発明のスピーカー装置において、前記情報は、楽曲のテンポ情報を含み、前記制御部は、前記楽曲のテンポ情報に従って、前記発光素子を発光させることを特徴とする。
【０００９】
本発明では、制御部は、楽曲のテンポに従って、発光素子を発光させる。これにより、ユーザーは、楽曲のテンポに同期した視覚効果を楽しむことができる。
【００１０】
第３の発明のスピーカー装置は、第１又は第２の発明のスピーカー装置において、前記情報は、色の情報を含み、前記制御部は、前記色の情報に従って、前記発光素子を発光させることを特徴とする。
【００１１】
本発明では、制御部は、色の情報に従って、発光素子を発光させる。これにより、ユーザーは、楽曲にあった色の視覚効果を楽しむことができる。
【００１２】
第４の発明のスピーカー装置は、第１〜第３のいずれかの発明のスピーカー装置において、前記情報は、前記楽曲ファイルのタグに含まれていることを特徴とする。
【００１３】
本発明では、情報は、楽曲ファイルのタグに含まれている。これにより、制御部は、楽曲ファイルから、情報を取得することができる。
【００１４】
第５の発明のスピーカー装置は、第１〜第３のいずれかの発明のスピーカー装置において、前記情報は、前記楽曲ファイルのファイル名に含まれていることを特徴とする。
【００１５】
本発明では、情報は、楽曲ファイルのファイル名に含まれている。これにより、制御部は、楽曲ファイルのファイル名から、情報を取得することができる。
【発明の効果】
【００１６】
本発明によれば、低コストで、ユーザーに視覚効果を楽しませることができる。
【図面の簡単な説明】
【００１７】
【図１】本発明の実施形態に係るスピーカー装置の構成を示すブロック図である。
【発明を実施するための形態】
【００１８】
以下、本発明の実施形態について説明する。図１は、本実施形態に係るスピーカー装置１の構成を示すブロック図である。図１に示すように、スピーカー装置１は、ＳｏＣ（System on Chip）２、記憶部３、Ｄ／Ａコンバーター（以下、「ＤＡＣ」という。）４、増幅器５、スピーカー６、ＢＴモジュール７、ＬＥＤ８を備える。
【００１９】
ＳｏＣ２（制御部）は、ＣＰＵ（Central Processing Unit）、ＤＳＰ（Digital Signal Processor）、メモリ等を有し、スピーカー装置１を構成する各部を制御する。記憶部３は、楽曲ファイル等を記憶するフラッシュメモリにより構成されている。ＤＡＣ４は、楽曲ファイルであるデジタルオーディオデータを、アナログオーディオデータにＤ／Ａ変換する。増幅器５は、ＤＡＣ４がＤ／Ａ変換したアナログオーディオデータを増幅する。スピーカー６は、増幅器５が増幅したアナログオーディオデータに基づいて、音声を出力する。
【００２０】
ＢＴモジュール７は、Ｂｌｕｅｔｏｏｔｈ（登録商標）規格に従った無線通信を行うためのものである。ＳｏＣ２は、ＢＴモジュール７を介して、他の装置から、デジタルオーディオデータを受信する。ＬＥＤ８（発光素子）は、複数のＬＥＤを含む。
【００２１】
ＳｏＣ２は、楽曲ファイルに含まれている情報に基づいて、ＬＥＤ８の点灯を制御する。例えば、楽曲ファイルに含まれている情報は、楽曲のテンポ情報を含んでいる。ＳｏＣ２は、楽曲のテンポ情報に従って、ＬＥＤ８を発光させる。また、例えば、楽曲ファイルに含まれている情報は、色の情報を含んでいる。ＳｏＣ２は、色の情報に従って、ＬＥＤ８を発光させる。
【００２２】
例えば、楽曲ファイルは、ＭＰ３ファイルであり、楽曲のテンポ情報は、ＩＤ３ｖ２タグのＴＢＰＭ（Beats per minute）情報である。ＳｏＣ２は、ＩＤ３ｖ２タグのＴＢＰＭ情報に従って、ＬＥＤ８を発光させる。ＳｏＣ２は、ＴＢＰＭ情報のテンポで、ＬＥＤ８を点滅させる。例えば、ＳｏＣ２は、ＩＤ３ｖ２タグのＴＢＰＭ情報に従って、ＬＥＤ８の点灯パターンを選択する。具体的には、ＳｏＣ２は、ＴＢＰＭ情報から、点滅パターンを選択し、ＬＥＤ８を点滅させる。ＴＢＰＭ情報が８０未満の場合、ＳｏＣ２は、ゆっくりしたパターンで、ＢＰＭ７０程度でＬＥＤ８を点滅させる。ＴＢＰＭ情報が８０〜１１０未満の場合、ＳｏＣ２は、標準パターンで、ＢＰＭ１００程度でＬＥＤ８を点滅させる。ＴＢＭＰ情報が１１０〜１３０未満の場合、ＳｏＣ２は、すこし早いパターンで、ＢＭＰ１２０程度でＬＥＤ８を点滅させる。ＴＢＰＭ情報が１２０以上である場合、ＳｏＣ２は、早いパターンで、ＢＭＰ１４０程度でＬＥＤ８を点滅させる。
【００２３】
また、例えば、楽曲のテンポ情報は、楽曲のファイル名に含まれている。ＳｏＣ２は、楽曲のファイル名に含まれているテンポ情報に従って、ＬＥＤ８を発光させる（ＬＥＤ８の点灯パターンを選択する）。例えば、ファイル名が、＊＊＊＊＊＊ＢＰＭ１２０．ｍｐ３というファイル名であった場合、ＳｏＣ２は、ＢＰＭ＝１２０であると判断し、ＬＥＤ８の点灯パターンに反映させる。上述のように、ＳｏＣ２は、ＢＰＭのまま点滅させてもよいし、上記した４つの点灯パターンから、点灯パターンを選択してもよい。
【００２４】
また、例えば、色の情報は、楽曲のファイル名に含まれている。ＳｏＣ２は、楽曲のファイル名に含まれている色の情報に従って、ＬＥＤ８を発光させる（ＬＥＤ８の点灯パターンを選択する）。例えば、ファイル名が、＊＊＊＊＊＊ＢＭＰ１２０Ａ．ｍｐ３というファイル名であった場合、ＳｏＣ２は、ＢＰＭ＝１２０、色パターンＡであると判断し、ＬＥＤ８の点灯パターンに反映させる。例えば、色パターンＡであれば、赤系の色を選択し、ＳｏＣ２は、ＬＥＤ８を発光する。色パターンＢであれば、青系の色を選択し、ＳｏＣ２は、ＬＥＤ８を発光する。色パターンＣであれば、白系の色を選択し、ＳｏＣ２は、ＬＥＤ８を発光する。
【００２５】
以上説明したように、本実施形態では、ＳｏＣ２は、楽曲ファイルに含まれている情報に基づいて、ＬＥＤ８の点灯を制御する。これにより、楽曲解析のための回路等が不要であるため、低コストで、ユーザーに視覚効果を楽しませることができる。リアルタイムに音楽に同期した視覚効果を実現することはできないが、再生中の楽曲がスローテンポなときは、ゆるやかな点灯パターンを選択、ハイテンポなときは、激しい点灯パターンを選択するなど、簡易的なパターン選択として、使用することができる。
【００２６】
また、本実施形態では、ＳｏＣ２は、楽曲のテンポに従って、ＬＥＤ８を発光させる。これにより、ユーザーは、楽曲のテンポに同期した視覚効果を楽しむことができる。
【００２７】
また、本実施形態では、ＳｏＣ２は、色の情報に従って、ＬＥＤ８を発光させる。これにより、ユーザーは、楽曲にあった色の視覚効果を楽しむことができる。
【００２８】
また、本実施形態では、情報は、楽曲ファイルのタグに含まれている。これにより、ＳｏＣ３は、楽曲ファイルから、情報を取得することができる。
【００２９】
また、本実施形態では、情報は、楽曲ファイルのファイル名に含まれている。これにより、制御部は、楽曲ファイルのファイル名から、情報を取得することができる。
【００３０】
以上、本発明の実施形態について説明したが、本発明を適用可能な形態は、上述の実施形態には限られるものではなく、以下に例示するように、本発明の趣旨を逸脱しない範囲で適宜変更を加えることが可能である。
【００３１】
上述の実施形態においては、発光素子として、ＬＥＤを例示したが、これに限られず、ＬＥＤ以外の他の発光素子で構成されていてもよいし、ＬＥＤと他の発光素子とで構成されていてもよい。
【産業上の利用可能性】
【００３２】
本発明は、発光素子を備えるスピーカー装置に好適に採用され得る。
【符号の説明】
【００３３】
１  スピーカー装置
２  ＳｏＣ（制御部）
６  スピーカー
８  ＬＥＤ（発光素子）
【図１】
2020101646.tif 000003